【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
ソーシャル・ネットワーキング・システム内に、閲覧ユーザに関連付けられたユーザ・プロファイルを記憶する工程であって、前記ユーザ・プロファイルは、前記閲覧ユーザにつながっている前記ソーシャル・ネットワーキング・システムの１以上のユーザを識別する、工程と、
スポンサ付きストーリ・ユニットを求めるストーリ要求を受信する工程であって、前記ストーリ要求は、前記スポンサ付きストーリ・ユニット内に含められるコンテンツとアクションのタイプとを識別する、工程と、
前記閲覧ユーザにつながっている前記ソーシャル・ネットワーキング・システムのユーザによるオブジェクトとの対話を識別する工程であって、前記対話は、前記ストーリ要求によって識別された前記コンテンツと前記アクションのタイプとに基づいて識別される、工程と、
識別された前記対話に基づいて、複数のスポンサ付きストーリ候補を生成する工程であって、各スポンサ付きストーリ候補は、前記閲覧ユーザにつながっている前記ソーシャル・ネットワーキング・システムのユーザによって実行された対話を記述する、工程と、
プロセッサが、パフォーマンス・メトリックに基づいて、前記スポンサ付きストーリ候補をランク付けする、ランク付け工程と、
前記ランク付けに少なくとも部分的に基づいて、前記スポンサ付きストーリ候補の中からスポンサ付きストーリ候補を選択する工程と、
選択された前記スポンサ付きストーリ候補を含む前記スポンサ付きストーリ・ユニットを生成する工程と、
前記スポンサ付きストーリ・ユニットを前記閲覧ユーザに提示する工程と、を備える方法。
【請求項２】
前記スポンサ付きストーリ・ユニットとの対話を前記閲覧ユーザから受信する工程と、
受信された前記対話に少なくとも部分的に基づいて、前記スポンサ付きストーリ・ユニットについてのパフォーマンス・メトリックを収集する工程と、
前記スポンサ付きストーリ・ユニットについての前記パフォーマンス・メトリックを記憶する工程と、をさらに備える、請求項１に記載の方法。
【請求項３】
前記パフォーマンス・メトリックに少なくとも部分的に基づいて、後続で生成されるス
ポンサ付きストーリ候補をランク付けする工程をさらに備える、請求項１に記載の方法。
【請求項４】
前記パフォーマンス・メトリックは、前記スポンサ付きストーリ・ユニットが提示された前記ソーシャル・ネットワーキング・システムのユニークなユーザの数、前記スポンサ付きストーリ・ユニットが提示された前記ソーシャル・ネットワーキング・システムのユーザの割合、前記スポンサ付きストーリ・ユニットと対話した前記ソーシャル・ネットワーキング・システムのユーザの数、クリック・スルー・レート、前記スポンサ付きストーリ・ユニットに関連付けられた収入の額、前記ソーシャル・ネットワーキング・システムのユーザによる前記スポンサ付きストーリ・ユニットとの対話の頻度、およびそれらの任意の組み合わせから成る群から選択される、請求項１に記載の方法。
【請求項５】
前記ランク付け工程は、
前記閲覧ユーザと各スポンサ付きストーリ候補との間の親和性を決定する工程と、
前記親和性に基づいて、前記スポンサ付きストーリ候補をランク付けする工程と、を備える、請求項１に記載の方法。
【請求項６】
前記ランク付け工程は、
前記閲覧ユーザと各スポンサ付きストーリ候補によって記述されたユーザとの間の親和性を決定する工程と、
前記親和性に基づいて、前記スポンサ付きストーリ候補をランク付けする工程と、を備える、請求項１に記載の方法。
【請求項７】
前記ランク付け工程は、
要求によって指定されたアクションのタイプを記述するスポンサ付きストーリ候補が、前記ランク付けにおいてより高い地位を有するように、前記スポンサ付きストーリ候補をランク付けする工程を備える、請求項１に記載の方法。
【請求項８】
前記ランク付け工程は、
スポンサ付きストーリ候補によって記述された対話に関連付けられた時間に基づいて、前記スポンサ付きストーリ候補をランク付けする工程を備える、請求項１に記載の方法。
【請求項９】
前記ランク付け工程は、
各スポンサ付きストーリ候補によって記述されたオブジェクトとのユーザ対話の数に基づいて、前記スポンサ付きストーリ候補をランク付けする工程を備える、請求項１に記載の方法。
【請求項１０】
前記スポンサ付きストーリ・ユニットの目的は、前記スポンサ付きストーリ・ユニットを提示される前記ソーシャル・ネットワーキング・システムのユーザの数を最大化すること、前記スポンサ付きストーリ・ユニットを提示される前記ソーシャル・ネットワーキング・システムのユーザの割合を最大化すること、前記スポンサ付きストーリ・ユニットとの対話の数を最大化すること、前記スポンサ付きストーリ・ユニットとの対話の頻度を最大化すること、前記スポンサ付きストーリ・ユニットに関連付けられた広告主の収入を最大化すること、およびそれらの任意の組み合わせから成る群から選択される、請求項１に記載の方法。
【請求項１１】
ソーシャル・ネットワーキング・システム内に、閲覧ユーザに関連付けられたユーザ・プロファイルを記憶する工程であって、前記ユーザ・プロファイルは、前記閲覧ユーザにつながっている前記ソーシャル・ネットワーキング・システムの１以上のユーザを識別する、工程と、
スポンサ付きストーリ・ユニットを求めるストーリ要求を受信する工程であって、前記
ストーリ要求は、前記スポンサ付きストーリ・ユニット内に含められるコンテンツとアクションのタイプとを識別する、工程と、
前記閲覧ユーザにつながっている前記ソーシャル・ネットワーキング・システムのユーザによるオブジェクトとの対話を識別する工程であって、前記対話は、前記ストーリ要求によって識別された前記コンテンツと前記アクションのタイプとに基づいて識別される、工程と、
識別された前記対話に基づいて、複数のスポンサ付きストーリ候補を生成する工程であって、各スポンサ付きストーリ候補は、前記閲覧ユーザにつながっている前記ソーシャル・ネットワーキング・システムのユーザによって実行された対話を記述する、工程と、
プロセッサが、前記ストーリ要求によって指定された目的と、パフォーマンス・メトリックとに基づいて、前記スポンサ付きストーリ候補をランク付けする、ランク付け工程と、
前記ランク付けに少なくとも部分的に基づいて、前記スポンサ付きストーリ候補の中からスポンサ付きストーリ候補を選択する工程と、
選択された前記スポンサ付きストーリ候補を含む前記スポンサ付きストーリ・ユニットを生成する工程と、
前記スポンサ付きストーリ・ユニットを前記閲覧ユーザに提示する工程と、
前記スポンサ付きストーリ・ユニットとの対話に基づいて、前記目的を変更する工程と、を備える方法。
【請求項１２】
前記パフォーマンス・メトリックは、前記スポンサ付きストーリ・ユニットが提示された前記ソーシャル・ネットワーキング・システムのユニークなユーザの数、前記スポンサ付きストーリ・ユニットが提示された前記ソーシャル・ネットワーキング・システムのユーザの割合、前記スポンサ付きストーリ・ユニットと対話した前記ソーシャル・ネットワーキング・システムのユーザの数、クリック・スルー・レート、前記スポンサ付きストーリ・ユニットに関連付けられた収入の額、前記ソーシャル・ネットワーキング・システムのユーザによる前記スポンサ付きストーリ・ユニットとの対話の頻度、およびそれらの任意の組み合わせから成る群から選択される、請求項１１に記載の方法。
【請求項１３】
前記ランク付け工程は、
前記閲覧ユーザと各スポンサ付きストーリ候補との間の親和性を決定する工程と、
前記親和性に基づいて、前記スポンサ付きストーリ候補をランク付けする工程と、を備える、請求項１１に記載の方法。
【請求項１４】
前記ランク付け工程は、
前記閲覧ユーザと各スポンサ付きストーリ候補によって記述されたユーザとの間の親和性を決定する工程と、
前記親和性に基づいて、前記スポンサ付きストーリ候補をランク付けする工程と、を備える、請求項１１に記載の方法。
【請求項１５】
前記ランク付け工程は、
要求によって指定されたアクションのタイプを記述するスポンサ付きストーリ候補が、前記ランク付けにおいてより高い地位を有するように、前記スポンサ付きストーリ候補をランク付けする工程を備える、請求項１１に記載の方法。
【請求項１６】
前記ランク付け工程は、
スポンサ付きストーリ候補によって記述された対話に関連付けられた時間に基づいて、前記スポンサ付きストーリ候補をランク付けする工程を備える、請求項１１に記載の方法。
【請求項１７】
ソーシャル・ネットワーキング・システム内に、閲覧ユーザに関連付けられたユーザ・プロファイルを記憶する工程であって、前記ユーザ・プロファイルは、前記閲覧ユーザにつながっている前記ソーシャル・ネットワーキング・システムの１以上のユーザを識別する、工程と、
スポンサ付きストーリ・ユニットを求めるストーリ要求を受信する工程であって、前記ストーリ要求は、前記スポンサ付きストーリ・ユニット内に含められるコンテンツとアクションのタイプとを識別する、工程と、
前記閲覧ユーザにつながっている前記ソーシャル・ネットワーキング・システムのユーザによるオブジェクトとの対話を識別する工程であって、前記対話は、前記ストーリ要求によって識別された前記コンテンツと前記アクションのタイプとに基づいて識別される、工程と、
識別された前記対話に基づいて、複数のスポンサ付きストーリ候補を生成する工程であって、各スポンサ付きストーリ候補は、前記閲覧ユーザにつながっている前記ソーシャル・ネットワーキング・システムのユーザによって実行された対話を記述する、工程と、
プロセッサが、パフォーマンス・メトリックに基づいて、前記スポンサ付きストーリ候補をランク付けする、ランク付け工程と、
前記ランク付けに少なくとも部分的に基づいて、前記スポンサ付きストーリ候補の中からスポンサ付きストーリ候補を選択する工程と、
選択された前記スポンサ付きストーリ候補を含む前記スポンサ付きストーリ・ユニットを生成する工程と、
前記スポンサ付きストーリ・ユニットを前記閲覧ユーザに提示する工程と、を実行するためのコンピュータ・プログラム・コードを含むコンピュータ可読記憶媒体。
【請求項１８】
前記パフォーマンス・メトリックは、前記スポンサ付きストーリ・ユニットが提示された前記ソーシャル・ネットワーキング・システムのユニークなユーザの数、前記スポンサ付きストーリ・ユニットが提示された前記ソーシャル・ネットワーキング・システムのユーザの割合、前記スポンサ付きストーリ・ユニットと対話した前記ソーシャル・ネットワーキング・システムのユーザの数、クリック・スルー・レート、前記スポンサ付きストーリ・ユニットに関連付けられた収入の額、前記ソーシャル・ネットワーキング・システムのユーザによる前記スポンサ付きストーリ・ユニットとの対話の頻度、およびそれらの任意の組み合わせから成る群から選択される、請求項１７に記載の記憶媒体。
【請求項１９】
前記ランク付け工程は、
各スポンサ付きストーリ候補によって記述されたオブジェクトとのユーザ対話の数に基づいて、前記スポンサ付きストーリ候補をランク付けする工程を備える、請求項１７に記載の記憶媒体。
【請求項２０】
前記ランク付け工程は、
要求によって指定されたアクションのタイプを記述するスポンサ付きストーリ候補が、前記ランク付けにおいてより高い地位を有するように、前記スポンサ付きストーリ候補をランク付けする工程を備える、請求項１７に記載の記憶媒体。